(57)【要約】【課題】  パケット網と回線交換網に接続した通信端末間で、動画像通信に必要な画像構成情報を、通信端末間で確実に交換させる。【解決手段】  回線交換網に接続する第１の通信端末と、パケット網に接続する第２の通信端末間の回線設定処理中に、パケット網から受信する呼制御信号に含まれる、第２の画像構成情報を保存する第１の手段と、第２の画像構成情報を保存後に、第１の通信端末との間の回線設定を完了させるための呼制御信号を、回線交換網に送信する第２の手段と、第１の通信端末との間の回線設定の完了後、第１の通信端末に第２の画像構成情報を送信し、第１の通信端末から第１の画像構成情報を受信する第３の手段と、第１の通信端末から第１の画像構成情報を受信した後、第２の通信端末に第１の画像構成情報を送信するため、パケット網に第１の画像構成情報を含む呼制御信号を送信する第４の手段とを有する。【選択図】  図２
2006180371.tif 000002
【特許請求の範囲】
【請求項１】
回線交換網及びパケット網に接続し、回線交換網に接続する通信端末と、パケット網に接続する通信端末間の回線設定を行うゲートウェイ装置であって、
回線交換網に接続する第１の通信端末と、パケット網に接続する第２の通信端末間の回線設定処理中に、パケット網から受信する呼制御信号に含まれる、動画像通信に必要な第２の画像構成情報を保存する第１の手段と、
第２の画像構成情報を保存後に、第１の通信端末との間の回線設定を完了させるための呼制御信号を、回線交換網に送信する第２の手段と、
回線交換網による第１の通信端末との間の回線設定の完了後、第１の通信端末に第２の画像構成情報を送信し、第１の通信端末から第１の画像構成情報を受信する第３の手段と、
第１の通信端末から第１の画像構成情報を受信した後、第２の通信端末に第１の画像構成情報を送信するため、パケット網に第１の画像構成情報を含む呼制御信号を送信する第４の手段と、
を有することを特徴とするゲートウェイ装置。
【請求項２】
前記第３の手段は、Ｈ．２４５制御信号により、画像構成情報を送受信することを特徴とする請求項１に記載のゲートウェイ装置。
【請求項３】
前記第１及び第２の画像構成情報は、ＭＰＥＧ４により符号化された動画像の画像構成情報であることを特徴とする請求項１に記載のゲートウェイ装置。
【請求項４】
パケット網の呼制御信号はＳＩＰであり、第２の通信端末との画像構成情報の送受は、ＳＩＰメッセージが有するＳＤＰメッセージに画像構成情報を記載して行うことを特徴とする請求項１から３のいずれか１項に記載のゲートウェイ装置。
【請求項５】
回線交換網及びパケット網に接続し、回線交換網に接続する通信端末と、パケット網に接続する通信端末間の回線設定を行うゲートウェイ装置での呼制御方法であって、
回線交換網に接続する第１の通信端末から、パケット網に接続する第２の通信端末への発信の際に、
パケット網から受信する、第２の通信端末が着信に対して応答したことを示す呼制御信号に含まれる、動画像通信に必要な第２の画像構成情報を保存し、回線交換網に第２の通信端末が着信に対して応答したことを示す呼制御信号を送信するステップと、
回線交換網による第１の通信端末との間の回線設定の完了後に、第１の通信端末に第２の画像構成情報を送信し、第１の通信端末から第１の画像構成情報を受信するステップと、
第２の通信端末に第１の通信端末との回線設定が完了したことを通知する呼制御信号を、パケット網に送信するステップと、
第２の通信端末の構成の更新を指示する呼制御信号をパケット網に送信するステップと、
を有し、
前記第２の通信端末の構成の更新を指示する呼制御信号は、第１の画像構成情報を含むことを特徴とする呼制御方法。
【請求項６】
回線交換網及びパケット網に接続し、回線交換網に接続する通信端末と、パケット網に接続する通信端末間の回線設定を行うゲートウェイ装置での呼制御方法であって、
パケット網に接続する第２の通信端末から、回線交換網に接続する第１の通信端末への発信の際に、
パケット網から受信する、第２の通信端末が第１の通信端末に発信を要求していることを示す呼制御信号に含まれる動画像通信に必要な第２の画像構成情報を保存し、回線交換網に第２の通信端末が第１の通信端末に発信を要求していることを示す呼制御信号を送信するステップと、
回線交換網による第１の通信端末との間の回線設定の完了後に、第１の通信端末に第２の画像構成情報を送信し、第１の通信端末から第１の画像構成情報を受信するステップと、
第２の通信端末に回線設定が完了したことを通知する呼制御信号をパケット網に送信するステップと、
を有し、
前記第２の通信端末に回線設定が完了したことを通知する呼制御信号は、第１の画像構成情報を含むことを特徴とする呼制御方法。
【請求項７】
パケット網に接続し、動画像通信を行う手段を有する通信端末であって、
第２の画像構成情報を含み、発信を通知する呼制御信号、及び／又は、第２の画像構成情報を含み、着信に対する応答を通知する呼制御信号を、パケット網に送信する手段と、
第１の画像構成情報を含み、回線設定が完了しことを通知する呼制御信号、及び／又は、第１の画像構成情報を含み、通信端末の構成の更新を指示する呼制御信号を、パケット網から受信する手段とを有し、
前記動画像通信を行う手段は、第１の画像構成情報に従い、動画像の復号化処理を行い、第２の画像構成情報に従い画像の符号化処理を行うことを特徴とする通信端末。
【発明の詳細な説明】
【技術分野】
【０００１】
本発明は、回線交換網に接続する通信端末と、インターネットのようなパケット網に接続する通信端末間で、動画像通信のための呼設定を可能とするゲートウェイ装置及び前記ゲートウェイ装置が行う呼制御方法と、パケット網に接続し、回線交換網に接続する通信端末と動画像通信を行う通信端末に関する。
【背景技術】
【０００２】
通信網を経由して動画像通信を行う場合、通常、何らかの圧縮符号化を適用するが、インターネットや、移動体通信網においては、マルチメディア用に開発されたＭＰＥＧ４（Ｍｏｖｉｎｇ  Ｐｉｃｔｕｒｅ  Ｅｘｐｅｒｔｓ  Ｇｒｏｕｐ  ｐｈａｓｅ  ４）が、主に使用されている。
【０００３】
動画像通信には、画像のアスペクト比や、画像サイズといった、種々のパラメータが存在し、受信側において動画像を正常に復号するためには、送信側と受信側で同じパラメータを使用する必要がある。このため、ＭＰＥＧ４による動画像通信においては、これらパラメータからなる画像構成情報を、ＶＳＨ（Ｖｉｓｕａｌ  ｏｂｊｅｃｔ  Ｓｅｑｕｅｎｃｅ  Ｈｅａｄｅｒ）情報やＶＯＳＨ（Ｖｉｓｕａｌ  Ｏｂｊｅｃｔ  Ｓｅｑｕｅｎｃｅ  Ｈｅａｄｅｒ）情報等に階層化して構成し、インターネットを経由してＲＴＰ（Ｒｅａｌ  ｔｉｍｅ  Ｔｒａｎｓｐｏｒｔ  Ｐｒｏｔｏｃｏｌ）で伝送する場合には先頭ＲＴＰパケットといった、通信開始時の先頭データを用いて、送信側から受信側に通知することにより、又は、同じ画像構成情報を、送信側及び受信側の両装置が、あらかじめ固定的に保持することにより、送受信側で同じ画像構成情報を使用するように構成している。
【０００４】
一方、移動体通信網の標準化団体である、３ＧＰＰ（３ｒｄ  Ｇｅｎｅｒａｔｉｏｎ  Ｐａｒｔｎｅｒｓｈｉｐ  Ｐｒｏｊｅｃｔ）においては、回線交換網で動画像通信を行うための方式についても標準化を行っている（非特許文献１参照。）。
【０００５】
図５は、従来の技術による、回線交換網に接続した通信端末間における動画像通信のための、簡略化した呼設定シーケンス図である。
【０００６】
（Ｓ５１）  発信側の通信端末は、着信側の通信端末との間に、回線設定を行うため、着信側通信端末の電話番号を含む呼設定信号を、回線交換網に送信する。回線交換網は、着信を通知するため、着信側通信端末に、呼設定信号を送信する。着信側通信端末は、応答したことを通知するため、応答通知信号を回線交換網に送信し、同様に、回線交換網は、応答通知信号を発信側通信端末に送信して、発信側通信端末と着信側通信端末との間に回線設定が行われる。
【０００７】
（Ｓ５２）  続いて、発信側通信端末と、着信側通信端末との間で、ＩＴＵ−Ｔ  Ｈ．２４５で規定された制御信号の送受信が行われる。図６は、Ｈ．２４５のシーケンス図である。本制御信号の送受信により、画像及び音声通信用の論理チャネルの設定や、主従関係の決定等が行われるが、ＭＰＥＧ４での動画像通信に必要な画像構成情報は、ＴｅｒｍｉｎａｌＣａｐａｂｉｌｉｔｙＳｅｔ信号によりそれぞれ通信相手に通知される。
【０００８】
（Ｓ５３）  発信側通信端末は、着信側通信端末に通知した画像構成情報に基づき、動画像の送信を行い、同様に、着信側通信端末は、発信通信端末に通知した画像構成情報に基づき、動画像の送信を行う。
【０００９】
【非特許文献１】“Codec(s) for Circuit Switched Multimedia Telephony Service”、3GPP 26.911 V6.0.0、２００４年９月
【発明の開示】
【発明が解決しようとする課題】
【００１０】
上述したように、回線交換網では、動画像通信のための回線設定を行う場合、動画像通信に必要な画像構成情報は、通信端末間での回線が設定された後、ＩＴＵ−Ｔ  Ｈ．２４５で規定された制御信号により交換することとしている。一方、インターネットにおいては、通信開始時の先頭ＲＴＰパケットといった、送信データの先頭部分により受信側に通知したり、画像構成情報の交換は行わず、固定的な画像構成情報を使用したりしている。
【００１１】
音声通信においては、インターネットに接続した電話機と、回線交換網に接続した電話機間で発着信が行えるように、通信網に接続した端末は、その接続先通信網に係らず、相互に通信できることが望ましい。しかしながら、回線交換網に接続した通信端末と、インターネットに接続した通信端末間で、動画像通信のための回線設定を行うことを考えた場合、回線交換網側は、回線設定後に、制御信号により画像構成情報の交換を行うこととしているため、回線交換網に接続している通信端末にとっては、通信開始時の先頭データに画像構成情報を含めることは必要ではない。更に、あらかじめ固定的な画像構成情報を使用する構成とすることもできない。
【００１２】
従って、回線交換網に接続した通信端末と、インターネットに接続した通信端末間で、動画像通信のための回線設定を行う場合において、回線交換網に接続している通信端末が、通信開始時の送信データに画像構成情報を送信しない場合には、動画像通信が正しく行えないこととなる。
【００１３】
また、回線交換網に接続した通信端末と、インターネットに接続した通信端末間の回線が設定された後に、回線交換網に接続した通信端末が送信する制御信号に含まれる画像構成情報を、ＲＴＰパケットを用いてインターネットに接続した通信端末に通知する構成では、もし、画像構成情報を有するパケットが消失した場合は、回線設定がされたにも係らず、動画像通信が正しく行えないこととなり、呼毎に課金を行う場合には、動画像通信を正常に提供できなかったにもかかわらず課金を行ってしまう問題が生じる。
【００１４】
従って、本発明は、インターネットのようなパケット網に接続した通信端末と、回線交換網に接続した通信端末間で、動画像通信のための回線設定を行う際に、動画像通信に必要な画像構成情報を、通信端末間で確実に交換させるゲートウェイ装置及び呼制御方法と、パケット網に接続し、回線交換網に接続する通信端末と動画像通信を行う通信端末を提供することを目的とする。
【課題を解決するための手段】
【００１５】
本発明におけるゲートウェイ装置によれば、
回線交換網及びパケット網に接続し、回線交換網に接続する通信端末と、パケット網に接続する通信端末間の回線設定を行うゲートウェイ装置であって、回線交換網に接続する第１の通信端末と、パケット網に接続する第２の通信端末間の回線設定処理中に、パケット網から受信する呼制御信号に含まれる、動画像通信に必要な第２の画像構成情報を保存する第１の手段と、第２の画像構成情報を保存後に、第１の通信端末との間の回線設定を完了させるための呼制御信号を、回線交換網に送信する第２の手段と、回線交換網による第１の通信端末との間の回線設定の完了後、第１の通信端末に第２の画像構成情報を送信し、第１の通信端末から第１の画像構成情報を受信する第３の手段と、第１の通信端末から第１の画像構成情報を受信した後、第２の通信端末に第１の画像構成情報を送信するため、パケット網に第１の画像構成情報を含む呼制御信号を送信する第４の手段と、を有することを特徴とする。
【００１６】
本発明のゲートウェイ装置における他の実施形態によれば、
前記第３の手段は、Ｈ．２４５制御信号により、画像構成情報を送受信することも好ましい。
【００１７】
また、本発明のゲートウェイ装置における他の実施形態によれば、
前記第１及び第２の画像構成情報は、ＭＰＥＧ４により符号化された動画像の画像構成情報であることも好ましい。
【００１８】
更に、本発明のゲートウェイ装置における他の実施形態によれば、
パケット網の呼制御信号はＳＩＰであり、第２の通信端末との画像構成情報の送受は、ＳＩＰメッセージが有するＳＤＰメッセージに画像構成情報を記載して行うことも好ましい。
【００１９】
本発明における呼制御方法によれば、
回線交換網及びパケット網に接続し、回線交換網に接続する通信端末と、パケット網に接続する通信端末間の回線設定を行うゲートウェイ装置での呼制御方法であって、回線交換網に接続する第１の通信端末から、パケット網に接続する第２の通信端末への発信の際に、パケット網から受信する、第２の通信端末が着信に対して応答したことを示す呼制御信号に含まれる、動画像通信に必要な第２の画像構成情報を保存し、回線交換網に第２の通信端末が着信に対して応答したことを示す呼制御信号を送信するステップと、回線交換網による第１の通信端末との間の回線設定の完了後に、第１の通信端末に第２の画像構成情報を送信し、第１の通信端末から第１の画像構成情報を受信するステップと、第２の通信端末に第１の通信端末との回線設定が完了したことを通知する呼制御信号を、パケット網に送信するステップと、第２の通信端末の構成を更新させる呼制御信号をパケット網に送信するステップと、
を有し、前記第２の通信端末の構成を更新させる呼制御信号は、第１の画像構成情報を含むことを特徴とする。
【００２０】
本発明の呼制御方法における他の実施形態によれば、
回線交換網及びパケット網に接続し、回線交換網に接続する通信端末と、パケット網に接続する通信端末間の回線設定を行うゲートウェイ装置での呼制御方法であって、パケット網に接続する第２の通信端末から、回線交換網に接続する第１の通信端末への発信の際に、パケット網から受信する、第２の通信端末が第１の通信端末に発信を要求していることを示す呼制御信号に含まれる動画像通信に必要な第２の画像構成情報を保存し、回線交換網に第２の通信端末が第１の通信端末に発信を要求していることを示す呼制御信号を送信するステップと、回線交換網による第１の通信端末との間の回線設定の完了後に、第１の通信端末に第２の画像構成情報を送信し、第１の通信端末から第１の画像構成情報を受信するステップと、第２の通信端末に回線設定が完了したことを通知する呼制御信号をパケット網に送信するステップと、を有し、前記第２の通信端末に回線設定が完了したことを通知する呼制御信号は、第１の画像構成情報を含むことを特徴とする。
【００２１】
本発明の通信端末によれば、
パケット網に接続し、動画像通信を行う手段を有する通信端末であって、第２の画像構成情報を含み、発信を通知する呼制御信号、及び／又は、第２の画像構成情報を含み、着信に対する応答を通知する呼制御信号を、パケット網に送信する手段と、第１の画像構成情報を含み、回線設定が完了しことを通知する呼制御信号、及び／又は、第１の画像構成情報を含み、通信端末の構成の更新を指示する呼制御信号を、パケット網から受信する手段とを有し、前記動画像通信を行う手段は、第１の画像構成情報に従い、動画像の復号化処理を行い、第２の画像構成情報に従い画像の符号化処理を行うことを特徴とする。
【発明の効果】
【００２２】
パケット網に接続した通信端末との呼制御信号に画像構成情報を含め、パケット網側の通信端末から画像構成情報を受信後、回線交換網側の通信端末との回線設定を完了させて、回線交換網に接続した通信端末と画像構成情報の交換を行い、その後、呼制御信号によりパケット網側の通信端末に、回線交換網側の通信端末の画像構成情報を通知することで、パケット網側及び回線交換網側の通信端末間で、動画像通信に必要な画像構成情報の交換を確実に行う。
【００２３】
パケット網に接続した通信端末とは、呼制御信号により画像構成情報を交換し、回線交換網に接続した通信端末とは、Ｈ．２４５に基づく制御信号で画像構成情報を交換することにより、従来パケット網で行っていた、データの先頭部分による通知と比較して、パケットロス等による影響を排除し、確実に画像構成情報の交換を可能としている。
【００２４】
パケット網に接続した通信端末との呼制御信号を、ＳＩＰ（Ｓｅｓｓｉｏｎ  Ｉｎｉｔｉａｔｉｏｎ  Ｐｒｏｔｏｃｏｌ）とし、ＳＩＰ内のＳＤＰ（Ｓｅｓｓｉｏｎ  Ｄｅｓｃｒｉｐｔｉｏｎ  Ｐｒｏｔｏｃｏｌ）メッセージに含めることで、簡易な実装で実現が可能である。
【発明を実施するための最良の形態】
【００２５】
本発明を実施するための最良の実施形態について、以下では図面を用いて詳細に説明する。
【００２６】
図１は、本発明によるゲートウェイ装置が使用されるシステムの構成図である。図１によると、ゲートウェイ装置１は、回線交換網２と、ＩＰ網３とに接続している。回線交換網２には通信端末２１が接続し、ＩＰ網３には通信端末３１が接続している。
【００２７】
回線交換網２は、所謂、回線交換により、通信端末間に回線設定を行う機能等を有し、従来の電話網等がその例であり、ＩＰ網３は、インターネットプロトコルによりパケットの転送を行うパケット網である。
【００２８】
通信端末２１は、回線設定／切断といった呼制御を行うための呼制御信号を、回線交換網２との間で送受し、回線交換網２を通して他の通信端末と通信を行う機能を有する。また、音声による通信のみならず、ＴＶ電話等の、動画像通信が可能である。
【００２９】
尚、通信端末２１は、非特許文献１に記載のように、動画像通信のために必要な画像構成情報を、通信相手である通信端末との間に回線が設定された後、制御信号により交換を行う通信端末である。
【００３０】
通信端末３１は、ＩＰ網３に接続可能であり、ゲートウェイ装置１との間で、例えば、ＳＩＰ（Ｓｅｓｓｉｏｎ  Ｉｎｉｔｉａｔｉｏｎ  Ｐｒｏｔｏｃｏｌ）といった、パケット網上で用いられる呼制御を行うための呼制御信号を送受信する機能を有する。通信端末３１も通信端末２１と同様に、音声による通信のみならず、ＴＶ電話等の、動画像通信を行う機能を有する。
【００３１】
ゲートウェイ装置１は、回線交換網２と、ＩＰ網３のそれぞれの網が使用する呼制御信号を相互に変換し、回線交換網２に接続している通信端末と、ＩＰ網３に接続している通信端末間に回線設定を行うことを可能とする機能を有する。尚、以下の説明において、ゲートウェイ装置１は、ＩＰ網３に接続している通信端末３１と直接呼制御信号の送受を行う呼制御サーバであるものとして説明を行うが、ＩＰ網３が、別に呼制御サーバを有する場合は、ＩＰ網３が有する呼制御サーバのクライアントとして動作し、ＩＰ網３が有する呼制御サーバを介して、通信端末３１と呼制御信号を送受する形態であってもよい。
【００３２】
図２及び図３は、図１の構成における動画像通信のための、呼設定シーケンス図であり、図２は、通信端末２１から発信した場合、図３は、通信端末３１から発信した場合を示す。
【００３３】
まず、図２のシーケンス図について説明する。尚、以後の説明において、ゲートウェイ装置１と通信端末３１との間の呼制御は、ＩＰ網における呼制御に広く使用されているＳＩＰによるものとして行うが、ＳＩＰに限定するものではない。
（Ｓ２１）  通信端末２１は、通信端末３１との間で回線設定を行うため、呼設定信号を送信する。回線交換網２から呼設定信号を受信した、ゲートウェイ装置１は、着信を通知するため、通信端末３１にＩｎｖｉｔｅメッセージを送信する。
（Ｓ２２）  通信端末３１は、着信に対し応答したことを通知するため、ゲートウェイ装置１に２００ｏｋメッセージを送信する。このとき、通信端末３１は、通信端末３１の画像構成情報を含む２００ｏｋメッセージを送信するものとする。ゲートウェイ装置１は、通信端末３１からの２００ｏｋメッセージに含まれる、通信端末３１の画像構成情報を、後に使用するために保存しておく。また、ゲートウェイ装置１は、通信端末２１との回線設定を完了させるため、回線交換網２に応答通知信号を送信する。回線交換網２は、前記応答通知信号を通信端末２１に送信して、通信端末２１とゲートウェイ装置１間の回線設定が完了する。
（Ｓ２３）  通信端末２１は、応答通知信号の受信により、ゲートウェイ装置１と、ＩＴＵ−Ｔ  Ｈ．２４５に基づくネゴシエーションを開始する。前記ネゴシエーションの中で、通信端末２１は、通信端末２１の画像構成情報をゲートウェイ装置１に送信し、ゲートウェイ装置１は、保存していた通信端末３１の画像構成情報を通信端末２１に送信する。また、ゲートウェイ装置１は、受信する通信端末２１の画像構成情報を、後に使用するために保存しておく。
（Ｓ２４）  ネゴシエーション終了後、ゲートウェイ装置１は、通信端末３１に、通信端末２１との回線設定が完了した旨を通知するため、Ａｃｋメッセージを送信する。その後、ゲートウェイ装置１は、通信端末３１に、保存していた通信端末２１の画像構成情報を通知するため、通信端末２１の画像構成情報を含み、通信端末３１の構成の更新を指示するＵｐｄａｔｅメッセージを送信する。画像構成情報を受信した通信端末３１は、確認応答のため２００ｏｋメッセージを、ゲートウェイ装置１に送信すると共に、Ｕｐｄａｔｅメッセージの内容に従い、自身の構成を更新する。
【００３４】
以上により、通信端末２１と通信端末３１との間で、画像構成情報の交換が保証される。通信端末２１は、通信端末２１の画像構成情報に従い、送信する動画像の符号化処理を、通信端末３１の画像構成情報に従い、受信する動画像の復号化処理を行い、同様に、通信端末３１は、通信端末３１の画像構成情報に従い、送信する動画像の符号化処理を、通信端末２１の画像構成情報に従い、受信する動画像の復号化処理を行うことで、動画像通信が可能となる。
【００３５】
続いて、図３のシーケンス図について説明する。
（Ｓ３１）  通信端末３１は、通信端末２１との間で回線設定を行うため、ゲートウェイ装置１に、発信を通知するＩｎｖｉｔｅメッセージを送信する。前記Ｉｎｖｉｔｅメッセージは、通信端末３１の画像構成情報を含んでいる。ゲートウェイ装置１は、通信端末３１の画像構成情報を、後に使用するために保存しておく。また、ゲートウェイ装置１は、通信端末２１との回線設定を完了させるため、回線交換網２に通信端末２１への呼設定信号を送信し、回線交換網２は、通信端末２１に呼設定信号を送信する。
（Ｓ３２）  通信端末２１は、着信に対し応答したことを通知するため、応答通知信号を、回線交換網２に送信する。回線交換網２は、前記応答通知信号をゲートウェイ装置１に送信して、通信端末２１とゲートウェイ装置１間の回線設定が完了する。
（Ｓ３３）  ゲートウェイ装置１は、回線交換網２から応答通知信号の受信により、通信端末２１と、ＩＴＵ−Ｔ  Ｈ．２４５に基づくネゴシエーションを開始する。前記ネゴシエーションの中で、通信端末２１は、通信端末２１の画像構成情報をゲートウェイ装置１に送信し、ゲートウェイ装置１は、保存していた通信端末３１の画像構成情報を通信端末２１に送信する。また、ゲートウェイ装置１は、受信した通信端末２１の画像構成情報を、後に使用するために保存しておく。
（Ｓ３４）  ネゴシエーション終了後、ゲートウェイ装置１は、通信端末３１に回線設定が完了した旨を通知するため、２００ｏｋメッセージを送信する。このとき、保存していた通信端末２１の画像構成情報を含む２００ｏｋメッセージを送信する。
【００３６】
以上により、通信端末２１と通信端末３１との間で、画像構成情報の交換が保証され、両通信端末は、それぞれの画像構成情報に基づき、動画像の符号化／復号化処理を行うことで、正常に動画像通信を行うことができる。
【００３７】
図４は、画像構成情報を有するＩｎｖｉｔｅメッセージの例である。Ｉｎｖｉｔｅメッセージ中にあるＳＤＰ（Ｓｅｓｓｉｏｎ  Ｄｅｓｃｒｉｐｔｉｏｎ  Ｐｒｏｔｏｃｏｌ）メッセージの、メディア種別Ｖｉｄｅｏの属性として、ｃｏｎｆｉｇを設け、画像構成情報を記載している。図４には、Ｉｎｖｉｔｅメッセージの例のみ記載しているが、他のメッセージについても同様に、ＳＤＰメッセージに画像構成情報を記載することで、ＳＩＰメッセージに簡易に画像構成情報を追加することができる。
【図面の簡単な説明】
【００３８】
【図１】本発明によるゲートウェイ装置が使用されるシステムの構成図である。
【図２】図１の構成における動画像通信のための、呼設定シーケンス図である。
【図３】図１の構成における動画像通信のための、呼設定シーケンス図である。
【図４】画像構成情報を有するＩｎｖｉｔｅメッセージの例である。
【図５】従来の技術による、回線交換網に接続した通信端末間における動画像通信のための、簡略化した呼設定シーケンス図である。
【図６】Ｈ．２４５のシーケンス図である。
【符号の説明】
【００３９】
１  ゲートウェイ装置
２  回線交換網
３  ＩＰ網
２１、３１  通信端末
【図１】
2006180371.tif 000003
【図２】
2006180371.tif 000004
【図３】
2006180371.tif 000005
【図４】
2006180371.tif 000006
【図５】
2006180371.tif 000007
【図６】
2006180371.tif 000008